(57)【特許請求の範囲】
【請求項１】
冷蔵庫本体の前面開口部を開閉自在に閉塞する引出し式の扉と、この扉の内面に固定され、扉の開閉にともなって引出しあるいは収納される容器を載置する左右一対で各後部間に後枠を設けず自由端とした支持枠と、この支持枠を保持する内箱側壁に形成したレールと、前記支持枠の各後部に取り付け、上部または下部に前記レールへの摺動部を形成した摺動部材とからなり、前記摺動部材は、前側を支持枠に係止するとともにその後側を前記レールと係合関係を保持して幅方向に少許移動可能としたことを特徴とする冷蔵庫扉の引出しレール構成。
【請求項２】
摺動部材は、その後側に支持枠に対して幅方向への少許の間隙を形成して水平方向に回動自在とするとともに、後方におけるレールに対しても制限的移動を可能とすることを特徴とする請求項１記載の冷蔵庫扉の引出しレール構成。
【請求項３】
摺動部材は、支持枠後部の下方Ｌ字状部の水平部に取り付けられ、この水平部に前部片を軸支するとともに、後方の溝部を前記水平部に幅方向の移動が可能なように嵌着させたことを特徴とする請求項２記載の冷蔵庫扉の引出しレール構成。
【請求項４】
容器の引出し時には、支持枠後部の下方Ｌ字状部の水平部に取り付けた摺動部材を、内箱側壁の上方に当接させるとともに、レール前方の内箱側壁に取り付けた滑車が前記Ｌ字状水平部を下方から支持することで引出し容器を支持するようにしたことを特徴とする請求項１記載の冷蔵庫扉の引出しレール構成。
【請求項５】
支持枠後部に取り付けた摺動部材の、内箱側壁レールに対する上方の当接面積を下方当接面積より大きくしたことを特徴とする請求項１記載の冷蔵庫扉の引出しレール構成。
【請求項６】
支持枠後部における摺動部材を滑車とし、滑車本体がその軸方向に対して移動可能な隙間を支軸に対して保有したことを特徴とする請求項１記載の冷蔵庫扉の引出しレール構成。
【発明の詳細な説明】
【０００１】
【発明の属する技術分野】
本発明は冷蔵庫扉の引出しレール構成に係り、特に引出し容器の支持枠と内箱側壁レールとの係合構成に関する。
【０００２】
【従来の技術】
近年、冷蔵庫は生活の多様化とともに収納量の大形化傾向にあり、その形態としては、上部に最も貯蔵物収納容積の大きい冷蔵室を設置し、その下部に冷凍室あるいは野菜室を設置している。前記冷蔵室は、その前面開口部近傍に一側を枢支した扉により前記開口を開閉自在に閉塞しており、冷凍室と野菜室は、収納物の出し入れ操作の利便性から扉の貯蔵室側に容器を取り付け、引出し式とするものが多くなっている。
【０００３】
従来、冷蔵庫扉の引出し式容器構造においては、図１２に示すように、扉本体（５３）の内面側に庫内の奥方向に延びる左右一対の支持枠（５４）を固定し、この支持枠（５４）間に貯蔵品を収納する容器（５７）を保持している。
【０００４】
左右一対の支持枠（５４）は、そのＡ´−Ａ´断面である図１３−ａ、および図１３−ｂに示すように、上下端縁にＬ字状部（５５）（５６）を形成し、下端Ｌ字状部（５６）の水平部を冷蔵庫本体前面開口部近傍の側壁に設けた滑車（６７）で受ける構成とすることで、引出し扉（５３）の摺動レールをも兼ねており、上端のＬ字状部（５５）で容器（５７）の上部周縁に形成したフランジ（５７ａ）を支持するようにしている。
【０００５】
左右支持枠（５４）の後端外方には、内箱の両側壁に形成したレール（５０）内を摺動するように固定した滑車（５８）とともに、後端を連結する後枠（６０）を取り付けることによって、扉、左右の支持枠（５４）、および後枠（６０）によって４面の枠を形成し、その内部に収納することで容器（５７）を安定保持するようにしている。
【０００６】
そして図１３−ａは、内箱側壁に設けたレール（５０）内に、左右支持枠（５４）の後端に固定した滑車（５８）が摺動する状態を示しており、レール（５０）は、上部開放側先端に下方への凸条（５０ａ）を形成しており、この凸条（５０ａ）により前記滑車（５８）を抱え込むように係合させ、脱輪を防止してその内部を摺動させる構成としている。
【０００７】
上記により、貯蔵容器（５７）を保持した引出し扉（５３）および支持枠（５４）は、内箱側壁に設けたレール（５０）と滑車（５８）により、引出し扉（５３）の摺動開閉によって、容器（５７）を庫内から庫外へ脱輪することなく摺動移動させているが、製造組立時の寸法ばらつきなどで、内箱側壁に対して支持部材（５４）との間隔が変化した場合に、滑車（５８）の外側面とレール（５０）とが干渉して円滑な摺動を妨げることがある。
【０００８】
これに対し、コストダウンのため、図１４−ａ、および図１４−ｂに示すように、前記後枠を設けない構成が存在する。この場合、左右の支持枠（７４）の後端に取り付けた滑車（７８）を、内箱側壁に形成した摺動レール（７０）で抱え込むように係合させる構成、および容器（７７）上部の周縁フランジ（７７ａ）を支持枠の上縁Ｌ字状部（７５）に載置させる構成は前記従来構成と同様であるが、容器（７７）が奥方向へずれないようにするため、支持枠（７４）の上縁Ｌ字状部（７５）にスリット（７５ａ）を設け、このスリット（７５ａ）に容器のフランジ（７７ａ）に形成した凸部（７７ｂ）を挿入嵌合させている。
【０００９】
このとき、前記フランジ凸部（７７ｂ）とスリット（７５ａ）とは左右方向に若干の間隙を設けることで、許容振れ幅を有しており、これにより、容器（７７）や庫内の左右壁間寸法に製造上のばらつきがあっても、前記許容振れ幅による寸法吸収で、滑車（７８）とレール（７０）との幅方向での干渉を防止して、引出し扉（５３）および容器（７７）の円滑な摺動作用を保持している。
【００１０】
【発明が解決しようとする課題】
しかしながら、前記構成では、左右の支持枠と容器との間に、左右方向に隙間を形成する必要があり、この隙間によって容器が左右支持枠の間で移動するため、内箱側壁と容器との間隙を大きく設定しないと摺動時に容器と側壁とが干渉することがある。また、この幅方向への移動により、内箱側壁間に対して容器の位置が偏向し、正規状態に位置しない場合が発生する。
【００１１】
容器が正規位置に設置されないと、この容器が野菜容器の場合、容器を本体側の蓋部材などと併せて密閉構造を採用する際に、位置ずれにより密閉が不充分となる懸念があり、この対応のために却って複雑な構成となる問題がある。また、内箱側壁と容器との隙間形成により貯蔵できない空間、すなわちデッドスペースが増えるとともに、扉に対して容器位置がずれていることは外観的にも良好ではなかった。
【００１２】
本発明はこの点に着目してなされたもので、内箱側壁と容器との間の寸法ばらつきを最小に抑えることができ、また、内箱側壁のレールと左右の支持枠との干渉を防止することができる冷蔵庫の引出しレール構成を提供するものである。
【００１３】
【課題を解決するための手段】
上記課題を解決するため、請求項１記載の冷蔵庫扉の引出しレール構成は、冷蔵庫本体の前面開口部を開閉自在に閉塞する引出し式の扉と、この扉の内面に固定され、扉の開閉にともなって引出しあるいは収納される容器を載置する左右一対で各後部間に後枠を設けず自由端とした支持枠と、この支持枠を保持する内箱側壁に形成したレールと、前記支持枠の各後部に取り付け、上部または下部に前記レールへの摺動部を形成した摺動部材とからなり、前記摺動部材は、前側を支持枠に係止するとともにその後側を前記レールと係合関係を保持して幅方向に少許移動可能としたことを特徴とするものである。
【００１４】
この構成により、内箱の側壁間や容器の製造や組立工程での誤差による寸法ばらつきがあっても、内箱側壁のレールと左右の支持枠との干渉を防止して容器の引出し収納の際の摺動を円滑におこなうことができる。また、摺動部材と支持枠との間隙を調整代にできるため、容器と本体側壁との間隙を小さく設定できるとともに、寸法ばらつきによる容器の位置ずれによる摺動の妨げなどを最小に抑えることができ、外観の悪さを防ぐことができる。
【００１５】
請求項２記載の発明は、摺動部材は、その後側に支持枠に対して幅方向への少許の間隙を形成して水平方向に回動自在とするとともに、後方におけるレールに対しても制限的移動を可能とすることを特徴とするものであり、また、請求項３記載の発明の摺動部材は、支持枠後部の下方Ｌ字状部の水平部に取り付けられ、この水平部に前部片を軸支するとともに、後方の溝部を前記水平部に幅方向の移動が可能なように嵌着させたことを特徴とするものであり、支持枠はその最後端で摺動部材により抱持されるため、最も効果的にずれの寸法を規制することができる。
【００１６】
請求項４記載の発明は、容器の引出し時には、支持枠後部の下方Ｌ字状部の水平部に取り付けた摺動部材を、内箱側壁の上方に当接させるとともに、レール前方の内箱側壁に取り付けた滑車が前記Ｌ字状水平部を下方から支持することで引出し容器を支持するようにしたことを特徴とする。
【００１７】
この構成により、支持枠のＬ字状部に対する捩れを大幅に抑える作用が得られ、摺動部材および前滑車の摺動を円滑におこなうことが可能となる。
【００１８】
請求項５記載の発明は、支持枠後部に取り付けた摺動部材の、内箱側壁レールに対する上方の当接面積を下方当接面積より大きくしたことを特徴とするものであり、扉の引出し開始当初は摺動部材とレールとの接触面積を小さくすることで摩擦抵抗を小さくして開扉力を低減し、引き出した状態では、摺動部材のレールへの接触面積を広くして応力を緩和することができる。
【００１９】
請求項６記載の発明は、支持枠後部における摺動部材を滑車とし、滑車本体がその軸方向に対して移動可能な隙間を支軸に対して保有したことを特徴とするものであり、滑車により、スムーズな摺動作用が得られるとともに、移動可能間隙寸法により幅方向の位置ずれを吸収することができるものである。
【００２０】
【発明の実施の形態】
以下、図面に基づき本発明の一実施形態について説明する。図１は複数の扉を一部開放あるいは前方に引き出した冷蔵庫（１）の斜視図であり、外箱（２）の内側に図示しない断熱材を介して内箱（３）により形成した貯蔵空間を断熱仕切壁により複数の貯蔵室（４）（５）（６）などに区分している。（４）は本体の上部に配置した冷蔵室であり、ヒンジ装置（７）により本体一側に回動自在に冷蔵室扉（８）を枢支し、この扉（８）によってその前面開口部を閉塞している。
【００２１】
冷蔵室（４）の下部には、仕切板（９）を介して野菜などを収納する野菜室（５）を形成している。この野菜室（５）は基本的に冷蔵室（４）とほぼ同等の温度帯であるため、前記仕切板（９）は断熱構成を必要とせず、単なる仕切作用をおこなう透明板などで形成されている。
【００２２】
野菜室（５）の下方には、断熱仕切壁（１０）を介して比較的小容積の製氷貯氷室（１１）と温度切替室（１２）を左右に区分配置し、その下部には冷凍食品を収納する冷凍室（６）を配置している。
【００２３】
前記野菜室（５）は、図２およびそのＡ−Ａ線に沿う断面図である図３に示すように、その前面開口部を野菜室扉（１３）で閉塞するとともに、扉本体（１３）の内側に貯蔵室内の奥方向に延びる左右一対の支持枠（１４）を取り付けている。この左右一対の支持枠（１４）は、前述の従来例である図１４−ｂに示す構成と同様に後枠を設けていない構成である。その縦断面における支持枠（１４）の上下端縁には、Ｌ字状部（１５）（１６）を形成しており、上端のＬ字状部（１５）で野菜容器（１７）の上部周縁に設けたフランジ（１７ａ）を支持することにより野菜容器（１７）を支持枠（１４）内に収納保持し、支持枠（１４）後端における下方Ｌ字状部（１６）には摺動部材（１８）を取り付けている。
【００２４】
この摺動部材（１８）は、図４および支持枠（１４）から摺動部材（１８）を分離した状態を示す図５、さらに支持枠（１４）の平面図である図６とそのＢ−Ｂ断面である図７、およびＣ−Ｃ断面である図８に示すように、支持枠（１４）前部にＬ字状部（１６）の肉厚に相当する嵌入溝（１９）を形成して、支持枠の下方Ｌ字状部（１６）への固定部とし、後部には、支持枠のＬ字状部の水平部（１６）を介在して、下部にレール（２０）への摺動部（２１）となる凸部を設けるとともに、上部にはレール（２０）の開口部上面の係止部（２０ａ）と係合して上部摺動部（２２）およびレールからの離脱係止部（２３）を設け、支持枠の容器側には立ち上がり部（２４）を設けて、支持枠のＬ字状部（１６）の周囲を覆うように形成している。
【００２５】
そして、前記上部摺動部（２２）（２３）と立ち上がり部（２４）との間は、支持枠のＬ字状部（１６）の垂直片に対して若干の間隙（２５）を形成するようにし、前記固定部にはＬ字状部（１６）と摺動部材の嵌入溝（１９）を貫通するネジ（２６）を取り付けることで、このネジ部（２６）を支点として、摺動部材（１８）の後方を支持枠（１４）に対して左右に回動できるようにし、前記間隙（２５）の寸法分を幅方向に対して移動可能としている。
【００２６】
なお、容器（１７）と支持枠（１４）との間は、支持枠上端のＬ字状部（１５）と容器上部の周縁フランジ（１７ａ）との係合により間隙を設けず、容器（１７）の外壁に支持枠（１４）を密着嵌合させている。
【００２７】
この構成により、内箱（３）の側壁間や容器（１７）の製造や組立工程での誤差による寸法ばらつきは、摺動部材（１８）と支持枠（１４）との間隙（２５）が調整代となって吸収されることになる。
【００２８】
また、容器（１７）と左右支持枠（１４）との係合により、容器（１７）を奥行き方向にずれないように係合させることにより、扉（１３）と支持枠（１４）との角度も変化しにくくなり、容器（１７）の位置ずれによる摺動の妨げ、外観の悪さを防ぐことができる。
【００２９】
さらに、摺動部材（１８）と支持枠（１４）との移動許容間隙（２５）は固定部（１９）より後方に位置させているため、支持枠（１４）は最後端で抱持されることになり、最も効果的にずれの寸法を規制することができる。
【００３０】
上記構成において、扉（１３）の引出し時には、扉の引出しにともなって、容器（１７）は前方が下方に傾斜することになるため、支持枠（１４）はその後端が上方へ回動し、摺動部材（１８）はレール（２０）の上面に当接して摺動することになる。また閉扉の際は、容器（１７）の奥方向移動とともにその重量により、支持枠（１４）は後端が下方に傾斜し、摺動部材（１８）はレール（２０）の下面に当接した状態で摺動する。
【００３１】
図９−ａは扉を引き出した状態、図９−ｂは扉を閉じた状態を示し、Ｗは扉、支持枠、容器の全体重量、ｘは本体側壁に取り付けた滑車が支持枠に与える力、ｙは内箱側壁のレールが摺動部材に与える力、Ｌ１とＬ２は重心とｘ、ｙの水平方向の距離を示し、図９−ａでは、ｙ＝Ｌ１・Ｗ／（Ｌ１＋Ｌ２）、図９−ｂでは、ｙ＝Ｌ１・Ｗ／（Ｌ１−Ｌ２）となるが、Ｌ２は一定であるため、扉を引き出した状態の方がｙの絶対値は大きくなる。
【００３２】
これに対応する構成として本発明では、図７であきらかなように、摺動部材（１８）のレール（２０）上面に当接する側（２２）を幅広にして、レール下面への当接側（２１）の幅を狭くしている。これは、扉の引出し開始当初は摺動部材（１８）とレール（２０）との接触面積を小さくすることで摩擦抵抗を小さくして開扉力を低減し、引き出した状態では、摺動部材（１８）のレール（２０）への接触面積を広くして応力を緩和しようとするものである。
【００３３】
図１０は、前記レール（２０）の前方における内箱側壁（３）に取り付けた前滑車（２７）部分の正面断面図であり、支持枠（１４）の下方Ｌ字状部（１６）の前部を下方から摺動自在に支持するものである。したがって、容器（１７）を引き出した際は、支持枠（１４）の後端に設けた前記摺動部材（１８）は、その上部（２２）がレール（２０）の上面に当接するとともに、支持枠（１４）の前部はこの前滑車（２７）上に位置することになり、支持枠（１４）の下方Ｌ字状部（１６）の水平部は、支持枠（１４）の前後方向においてその上下面から挟まれる状態で応力を受けることになる。この応力の方向は、支持枠のＬ字状部（１６）に対する捩れを大幅に抑える作用となり、摺動部材（１８）および前滑車（２７）の摺動を円滑におこなうことを可能にするものである。
【００３４】
次に、本発明の他の実施形態を説明する。前記実施形態と同一部分を同一符号で示した図１１は、支持枠（１４）の後端に取り付けた摺動部材を滑車（２８）としたものであり、この滑車（２８）を軸方向に対して少許移動可能として、この移動可能寸法により幅方向の位置ずれを吸収するものである。
【００３５】
また、図２中の（２９）は、扉（１３）の内側に設けた弾性爪片であり、容器（１７）の上部周縁フランジ（１７ａ）に上方から係止させることによって、容器（１７）を、左右支持枠（１４）との係合に加え、扉側前部と上方からも係止することになり、容器（１７）自体の剛性と相俟って扉（１３）と支持枠（１４）とを含めた引出し容器全体としての強度が向上し、外部応力などによる変形を防止することができる。
【００３６】
なお、上記各実施形態では、貯蔵容器を野菜室容器の例で説明したが、これに限らず、下部の冷凍室（６）などの引出し式容器構成として使用することができることはいうまでもない。
【００３７】
【発明の効果】
以上説明したように、請求項１の発明によれば、内箱の側壁間や容器の製造や組立工程での誤差による寸法ばらつきがあっても、内箱側壁のレールと左右の支持枠との干渉を防止して容器の引出し収納の際の摺動を円滑におこなうことができる。また、摺動部材と支持枠との間隙を調整代にできるため、容器と本体側壁との間隙を小さく設定できるとともに、寸法ばらつきによる容器の位置ずれによる摺動の妨げなどの影響を最小に抑えることができ、外観を良好に保つことができる。
【００３８】
請求項２の発明、および請求項３の発明によれば、支持枠はその最後端で摺動部材により抱持されるため、最も効果的にずれの寸法を規制することができる。
【００３９】
請求項４の発明によれば、支持枠のＬ字状部に対する捩れを大幅に抑える作用が得られ、摺動部材および前方の滑車による摺動を円滑におこなうことを可能にする。
【００４０】
請求項５の発明によれば、扉の引出し開始当初は摺動部材とレールとの接触面積を小さくすることで摩擦抵抗を小さくして開扉力を低減し、引き出した状態では、摺動部材のレールへの接触面積を広くして応力を緩和することができる。
【００４１】
請求項６の発明によれば、滑車により、スムーズな摺動作用が得られるとともに、移動可能間隙寸法により幅方向の位置ずれを吸収することができるものである。
【図面の簡単な説明】
【図１】本発明の一実施形態を示す冷蔵庫の斜視図である。
【図２】本発明の一実施形態を示す引出し容器部の縦断面図である。
【図３】図２におけるＡ−Ａ断面図である。
【図４】本発明における支持枠および摺動部材組立状態の一実施形態を示す一部切除斜視図である。
【図５】図４における支持枠と摺動部材の分解斜視図である。
【図６】図４の平面図である。
【図７】図６のＢ−Ｂ断面図である。
【図８】図６のＣ−Ｃ断面図である。
【図９】（ａ）は本発明の引出しレール構成の引出し状態の説明図であり、（ｂ）は引出しレールの収納状態の説明図である。
【図１０】本発明の引出しレールのレール前方滑車部の要部断面図である。
【図１１】本発明の他の実施形態を示す図３と同一部分の要部断面図である。
【図１２】図２と同一部分の従来例を示す縦断面図である。
【図１３】（ａ）は図３と同一部分の従来構成を示す断面図であり、（ｂ）は（ａ）における支持枠部分を示す斜視図である。
【図１４】（ａ）は図３と同一部分のさらに他の従来構成を示す断面図であり、（ｂ）は（ａ）の支持枠部分を示す斜視図である。
【符号の説明】
５…野菜室、   １３…野菜室扉、    １４…支持枠、
１５…上方Ｌ字状部、   １６…下方Ｌ字状部、  １７…容器、
１７ａ…容器のフランジ部、  １８…摺動部材、  １９…嵌入溝、
２０…レール、    ２０ａ…レールの係止部、  ２１…下部摺動部、
２２…上部摺動部、     ２３…係止部、      ２４…立ち上がり部、
２５…間隙、  ２６…ネジ、   ２７…前滑車、    ２８…滑車、
２９…弾性爪片、
【図１】
0003990874.tif 000002
【図２】
0003990874.tif 000003
【図３】
0003990874.tif 000004
【図４】
0003990874.tif 000005
【図５】
0003990874.tif 000006
【図６】
0003990874.tif 000007
【図７】
0003990874.tif 000008
【図８】
0003990874.tif 000009
【図９】
0003990874.tif 000010
【図１０】
0003990874.tif 000011
【図１１】
0003990874.tif 000012
【図１２】
0003990874.tif 000013
【図１３】
0003990874.tif 000014
【図１４】
0003990874.tif 000015